(57)【特許請求の範囲】
【請求項１】
第１のデータが記録された第１の記録領域と、前記第１のデータとは異なる第２のデータが記録された第２の記録領域とを有し、前記第２の記録領域から前記第２のデータを再生するためには、所定の回転数で回転される必要があるディスク状記録媒体を回転させる駆動部と、
前記ディスク状記録媒体からデータを再生する再生部と、
前記第１の記録領域から再生されたデータの中から、前記ディスク状記録媒体の回転数を算出するための基準となる第１の基準信号を検出する第１の検出部と、
前記第２の記録領域から再生されたデータの中から、前記ディスク状記録媒体の回転数を算出するための基準となる第２の基準信号を検出する第２の検出部と、
前記第１及び第２の検出部から出力される前記第１及び第２の基準信号のうち、いずれか一方を選択して出力する選択部と、
前記第１又は第２の基準信号に基づいて、前記駆動部の回転数を制御する回転数制御部と、
前記再生部を前記ディスク状記録媒体の前記第１の記録領域に移動させると共に、前記選択部に前記第１の基準信号を選択させることにより、前記回転数制御器に、前記第１の基準信号に基づいて、前記駆動部の回転数が、前記第２の記録領域から前記第２のデータを再生することが可能になる程度の回転数になるように、前記駆動部の回転数を制御させた後、前記再生部を前記第２の記録領域に移動させると共に、前記選択部に前記第２の基準信号を選択させることにより、前記回転数制御部に、前記第２の基準信号に基づいて、前記駆動部の回転数を制御させる制御部と
を備えることを特徴とする再生装置。
【請求項２】
前記第１の基準信号は、ピットから得られるシンクパターン、又はウォブルから得られるウォブル信号であることを特徴とする請求項１記載の再生装置。
【請求項３】
前記第２の基準信号は、シンクパターン又はリシンクパターンであることを特徴とする
請求項１記載の再生装置。
【発明の詳細な説明】
【技術分野】
【０００１】
本発明は、再生装置に関する。
【背景技術】
【０００２】
光ディスク装置は、スピンドルモータを用いて光ディスクを回転させる。このスピンドルモータの回転数を制御する方法としては、種々の方法が提案されている。以下、スピンドルモータの回転数を制御する方法を具体的に説明する。
【０００３】
一般に、スピンドルモータには、当該スピンドルモータが一定の角度だけ回転する毎に、所定形状のパルスを出力することにより、ＦＧ（フリークエンシー・ジェネレータ）信号を生成するＦＧ信号発生器が取り付けられている。
【０００４】
光ディスク装置は、このＦＧ信号発生器から出力されるＦＧ信号が有するパルスを検出することにより、スピンドルモータの回転数を算出し、その算出結果を基にスピンドルモータの回転数を制御することができる。
【０００５】
ところで、光ディスクには、映像データなどのデータを記録するためのピットが形成されているが、このピットには、同期信号としてのシンクパターンも記録されている。光ディスク装置は、レーザ光をピットに照射することによって得られるデータの中から、シンクパターンを検出し、このシンクパターンに基づいて、スピンドルモータの回転数を制御することもできる。
【０００６】
また、光ディスクには、一定の周期で蛇行するように形成された溝からなるウォブルを有し、このウォブルは主に案内溝としての役割を果たす。光ディスク装置は、レーザ光をウォブルに照射することによって得られるウォブル信号に基づいて、スピンドルモータの回転数を制御することもできる。
【０００７】
ところで、ＤＶＤ規格や、次世代のＤＶＤ（Digital Versatile Disc）規格として有力視されているＨＤ ＤＶＤ規格に基づく光ディスクには、その内周側にＢＣＡ（バースト・カッティング・エリア）が形成されている。このＢＣＡには、記録されるデータに応じて、光ディスクの半径方向に放射状に伸びるように、バーコード状のパターンが形成されている。ＢＣＡには、例えば当該光ディスクに付与される固有の識別情報や、コピープロテクト情報が記録される。
【０００８】
このように、ＤＶＤ規格やＨＤ ＤＶＤ規格に基づく光ディスクのＢＣＡには、データエリアと異なり、ピットが形成されていないため、上述したシンクパターンが記録されておらず、またウォブルも形成されていない。
【０００９】
このため、かかる光ディスクを有する光ディスク装置では、ＢＣＡからデータを読み出す際には、ＦＧ信号発生器から出力されるＦＧ信号に基づいてスピンドルモータの回転数を制御することになる。
【００１０】
かりにスピンドルモータにＦＧ信号発生器を設けない場合には、ＢＣＡからデータを読み出す際に、スピンドルモータの回転数を制御することができない。これにより、一定の回転数で光ディスクを安定して回転させることができなくなり、データの読み出し精度が低下する。従って、スピンドルモータにはＦＧ信号発生器を必ず設ける必要があり、その分、光ディスク装置の構成が大型化するという問題があった。
【００１１】
以下、光ディスク装置に関する文献名を記載する。
【特許文献１】特開平１１−３２８８５７号公報
【発明の開示】
【発明が解決しようとする課題】
【００１２】
本発明は、データの読み出し精度を向上しながら、構成を簡易化することができる再生装置を提供することを目的とする。
【課題を解決するための手段】
【００１３】
本発明の一態様による再生装置によれば、
第１のデータが記録された第１の記録領域と、前記第１のデータとは異なる第２のデータが記録された第２の記録領域とを有し、前記第２の記録領域から前記第２のデータを再生するためには、所定の回転数で回転される必要があるディスク状記録媒体を回転させる駆動部と、
前記ディスク状記録媒体からデータを再生する再生部と、
前記第１の記録領域から再生されたデータの中から、前記ディスク状記録媒体の回転数を算出するための基準となる第１の基準信号を検出する第１の検出部と、
前記第２の記録領域から再生されたデータの中から、前記ディスク状記録媒体の回転数を算出するための基準となる第２の基準信号を検出する第２の検出部と、
前記第１及び第２の検出部から出力される前記第１及び第２の基準信号のうち、いずれか一方を選択して出力する選択部と、
前記第１又は第２の基準信号に基づいて、前記駆動部の回転数を制御する回転数制御部と、
前記再生部を前記ディスク状記録媒体の前記第１の記録領域に移動させると共に、前記選択部に前記第１の基準信号を選択させることにより、前記回転数制御器に、前記第１の基準信号に基づいて、前記駆動部の回転数が、前記第２の記録領域から前記第２のデータを再生することが可能になる程度の回転数になるように、前記駆動部の回転数を制御させた後、前記再生部を前記第２の記録領域に移動させると共に、前記選択部に前記第２の基準信号を選択させることにより、前記回転数制御部に、前記第２の基準信号に基づいて、前記駆動部の回転数を制御させる制御部と
を備えることを特徴とする。
【発明の効果】
【００１５】
本発明の再生装置によれば、データの読み出し精度を向上しながら、構成を簡易化することができる。
【発明を実施するための最良の形態】
【００１６】
以下、本発明の実施の形態について図面を参照して説明する。
【００１７】
図１に、本発明の実施の形態による光ディスク装置１０の構成を示し、図２に、当該光ディスク装置１０に用いられる光ディスク２０の構成を示す。図２に示すように、光ディスク２０としては、例えばＨＤ ＤＶＤ規格に基づく光ディスクが使用され、その外周側にはデータエリア３０が形成され、内周側にはＢＣＡ４０が形成されている。
【００１８】
データエリア３０には、映像データなどのデータを記録するためのピット（図示せず）が形成されているが、このピットには、同期信号としてのシンクパターンも記録されている。また、データエリア３０には、一定の周期で蛇行するように溝すなわちウォブル（図示せず）が形成され、このウォブルは主に案内溝としての役割を果たす。
【００１９】
一方、ＢＣＡ４０には、光ディスク２０の半径方向に放射状に伸びるように、バーコード状のパターン（図示せず）が形成されている。ＢＣＡ４０には、例えば当該光ディスク２０に付与された固有の識別情報や、コピープロテクト情報が記録される。なお、かかる光ディスク装置１０は、ＨＤ ＤＶＤ規格によって、再生時には、ＢＣＡ４０に記録されているデータを必ず再生するようになされており、これにより例えば不正コピーを防止することができる。
【００２０】
光ディスク２０は、再生時には、回転軸５０に装着され、光ディスク装置１０は、スピンドルモータ６０によって、光ディスク２０を回転軸５０と共に回転させる。その際、光ディスク装置１０は、光ピックアップヘッド７０を所望の位置に移動させ、当該光ピックアップヘッド７０から出力されるレーザ光を例えばピットに照射する。光ディスク装置１０は、その反射光を光ピックアップヘッド７０によって受光し、得られた電気信号（ＲＦ信号）に対して所定の信号処理を施すことにより、映像信号を生成する。
【００２１】
その際、信号処理回路８０は、光ピックアップヘッド７０から出力される電気信号に対して所定の信号処理を施し、その処理結果に基づいて、スピンドルモータ６０の回転数を制御する。
【００２２】
ところで、かかる光ディスク装置１０は、上述したように、不正コピーの防止などのため、ＨＤ ＤＶＤ規格によって、再生時には、ＢＣＡ４０に記録されているデータを必ず再生するようになされている。
【００２３】
しかし、ＢＣＡ４０からデータを再生することができる、スピンドルモータ６０の回転数は、ＨＤ ＤＶＤ規格によって規定されており、当該規定された回転数と異なる回転数で、光ディスク２０を回転させても、ＢＣＡ４０からデータを再生することができない。従って、光ディスク装置１０では、データエリア３０と異なり、ＢＣＡ４０からデータを再生する場合には、ＨＤ ＤＶＤ規格によって規定された所定の回転数で、光ディスク２０を回転させる必要がある。
【００２４】
本実施の形態の場合、光ディスク装置１０は、ＢＣＡ４０からデータを再生する際には、まず、光ピックアップヘッド７０をデータエリア３０に移動させ、データエリア３０からデータを再生することにより、スピンドルモータ６０の回転数が、ＨＤ ＤＶＤ規格によって規定された、ＢＣＡ４０からデータを再生することができる程度の回転数になるように、スピンドルモータ６０の回転数を制御する。
【００２５】
その後、光ディスク装置１０は、光ピックアップヘッド７０をＢＣＡ４０に移動させるが、その際、スピンドルモータ６０の回転数は、若干変化する場合がある。この場合、光ディスク装置１０は、ＢＣＡ４０からデータを再生し、当該再生されたデータの中から、固有のビットパターンであるシンクパターン（スピンドルモータ６０の回転数を算出するための基準となる基準信号）を検出することにより、スピンドルモータ６０の回転数が、ＨＤ ＤＶＤ規格によって規定された回転数になるように、スピンドルモータ６０の回転数を制御する。
【００２６】
このように、ＢＣＡ４０からデータを再生しながら、スピンドルモータ６０の回転数を精度良く制御することにより、所定の回転数で光ディスクを安定して回転させることができ、従ってデータの読み出し精度を向上させることができる。
【００２７】
ここで図３に、ＢＣＡ４０からデータを再生する場合における、本実施の形態による回転数制御処理手順ＲＴ１０を示す。この図３において信号処理回路８０の制御器１１０は、再生時、回転数制御処理手順ＲＴ１０に入ると、回転数制御器１２０の動作を制御することにより、所定の回転数でスピンドルモータ６０を回転させ、その回転数を保持させた後、ステップＳＰ１０において、光ピックアップヘッド７０をデータエリア３０に移動させる。
【００２８】
この場合、光ディスク装置１０は、光ピックアップヘッド７０から出射されるレーザ光を例えばピットに照射し、その反射光を光ピックアップヘッド７０によって受光することにより、得られた電気信号を信号処理回路８０に与える。信号処理回路８０は、この電気信号をピット・シンク検出器９０及びＢＣＡ・シンク検出器１００に入力する。
【００２９】
ステップＳＰ２０において、制御器１１０は、スイッチＳＷをピット・シンク検出器９０側に切換え、さらに回転数制御器１２０に対して、スピンドルモータ６０の回転数の保持を解除させる。この場合、ピット・シンク検出器９０は、光ピックアップヘッド７０から出力された電気信号の中から、データエリア３０のピットに記録されているシンクパターンを検出すると、シンクパターンが検出されたことを回転数制御器１２０に通知する。
【００３０】
ステップＳＰ３０において、回転数制御器１２０は、シンクパターンが検出されたタイミングの時間間隔に基づいて、スピンドルモータ６０の回転数を算出し、その算出結果を基にスピンドルモータ６０の回転数を制御する。これにより、スピンドルモータ６０の回転数は、ＨＤ ＤＶＤ規格で定められた、ＢＣＡ４０からデータを再生することができる程度の回転数に制御される。
【００３１】
ステップＳＰ４０において、制御器１１０は、回転数制御器１２０の動作を制御することにより、スピンドルモータ６０の回転数を保持させた後、続くステップＳＰ５０に移って、光ピックアップヘッド７０をＢＣＡ４０に移動させる。
【００３２】
なお、その際、回転数制御器１２０は、スピンドルモータ６０の回転数を保持しようとするが、スピンドルモータ６０の実際の回転数を算出して、スピンドルモータ６０の回転数を制御していないため、スピンドルモータ６０の回転数は、若干変化する場合がある。
【００３３】
ステップＳＰ６０において、制御器１１０は、スイッチＳＷをＢＣＡ・シンク検出器１００側に切換え、さらに回転数制御器１２０に対して、スピンドルモータ６０の回転数の保持を解除させる。この場合、ＢＣＡ・シンク検出器１００は、光ピックアップヘッド７０から出力された電気信号の中から、ＢＣＡ４０に記録されているシンクパターンを検出すると、シンクパターンが検出されたことを回転数制御器１２０に通知する。
【００３４】
ステップＳＰ７０において、回転数制御器１２０は、シンクパターンが検出されたタイミングの時間間隔に基づいて、スピンドルモータ６０の回転数を算出し、その算出結果を基にスピンドルモータ６０の回転数を制御する。これにより、スピンドルモータ６０の回転数は、ＨＤ ＤＶＤ規格で定められた、ＢＣＡ４０からデータを再生することができる程度の回転数に精度良く制御される。
【００３５】
このように本実施の形態によれば、ＢＣＡ４０からデータを再生する際に、一定の回転数で光ディスクを安定して回転させることができ、従ってデータの読み出し精度を向上させることができる。
【００３６】
また、本実施の形態によれば、スピンドルモータ６０にＦＧ信号発生器を設ける必要がなくなり、その分、光ディスク装置１０の構成を簡易化することができる。
【００３７】
また、ＦＧ信号を検出するためのＦＧ信号検出器を信号処理回路８０内に設ける必要がなくなり、その分、信号処理回路８０の構成を簡易化することができ、さらにこの場合、ＦＧ信号検出器から出力されるＦＧ信号を信号処理回路８０内に入力するための入力端子を設ける必要がない。
【００３８】
なお、上述の実施の形態は一例であって、本発明を限定するものではない。例えば、ＢＣＡ４０からデータを再生する際に、スピンドルモータ６０の回転数を算出するための基準信号として、シンクパターンではなく、他の同期パターンであるリシンクパターン、データの開始を示すプリアンブル、データの終了を示すポストアンブルなどを検出して、スピンドルモータ６０の回転数を制御することも可能である。
【００３９】
また、データエリア３０からデータを再生する際には、ピットから得られるシンクパターンではなく、ウォブルから得られるウォブル信号を検出して、スピンドルモータ６０の回転数を制御することも可能である。
【００４０】
また、光ディスク２０としては、ＨＤ ＤＶＤ規格に基づく光ディスクではなく、ＤＶＤ規格に基づく光ディスクを使用しても良い。
【００４１】
さらに、ＢＣＡ４０からデータを再生する際に、データエリア３０からデータを再生することなく、光ピックアップヘッド７０をＢＣＡ４０に移動させた後、スピンドルモータ６０の回転数を変化させながら、ＢＣＡ４０に記録されているシンクパターンの検出を試み、当該シンクパターンを検出することができた場合に、スピンドルモータ６０の回転数を制御するようにしても良い。この場合、制御器１１０は、スイッチＳＷをＢＣＡ・シンク検出器１００側に切り換えておく。
【００４２】
ここで図４に、データエリア３０からデータを再生することなく、ＢＣＡ４０からデータを再生する場合における、他の実施の形態による回転数制御処理手順ＲＴ２０を示す。この図４において信号処理回路８０の制御器１１０は、再生時、回転数制御処理手順ＲＴ２０に入ると、ステップＳＰ１００において、回転数制御器１２０の動作を制御することにより、所定の回転数でスピンドルモータ６０を回転させると共に、光ピックアップヘッド７０をＢＣＡ４０に移動させる。
【００４３】
ステップＳＰ１１０において、回転数制御器１２０は、ＢＣＡ・シンク検出器１００からシンクパターンが検出されことを通知されたか否かを判定する。このステップＳＰ１１０において肯定結果が得られると、回転数制御器１２０は、ステップＳＰ１２０に移って、スピンドルモータ６０の回転数を制御した後、ステップＳＰ１３０に移って、当該処理手順ＲＴ２０を終了する。
【００４４】
これに対してステップＳＰ１１０において否定結果が得られると、回転数制御器１２０は、ステップＳＰ１４０に移って、現在の回転数が、所定の上限値であるか否かを判定する。このステップＳＰ１４０において否定結果が得られると、回転数制御器１２０は、ステップＳＰ１５０に移って、スピンドルモータ６０の回転数を所定量だけ上昇させた後、ステップＳＰ１１０に戻って上述の動作を繰り返すことにより、スピンドルモータ６０の回転数を段階的に上昇させながら、シンクパターンの検出を試みる。
【００４５】
これに対してステップＳＰ１４０において肯定結果が得られると、回転数制御器１２０は、ステップＳＰ１６０に移って、ＢＣＡ・シンク検出器１００からシンクパターンが検出されことを通知されたか否かを判定する。このステップＳＰ１６０において肯定結果が得られると、回転数制御器１２０は、ステップＳＰ１２０に移って、スピンドルモータ６０の回転数を制御した後、ステップＳＰ１３０に移って、当該処理手順ＲＴ２０を終了する。
【００４６】
これに対してステップＳＰ１６０において否定結果が得られると、回転数制御器１２０は、ステップＳＰ１７０に移って、現在の回転数が、所定の下限値であるか否かを判定する。このステップＳＰ１７０において否定結果が得られると、回転数制御器１２０は、ステップＳＰ１８０に移って、スピンドルモータ６０の回転数を所定量だけ低下させた後、ステップＳＰ１６０に移って、上述の動作を繰り返すことにより、回転数を段階的に低下させながら、シンクパターンの検出を試みる。
【００４７】
ステップＳＰ１７０において、肯定結果が得られると、回転数制御器１２０は、ステップＳＰ１１０に戻って、上述の動作を繰り返すことにより、再びスピンドルモータ６０の回転数を段階的に上昇させながら、シンクパターンの検出を試みる。
【図面の簡単な説明】
【００４８】
【図１】本発明の実施の形態による光ディスク装置の構成を示すブロック図である。
【図２】同光ディスク装置が有する光ディスクの構成を示す説明図である。
【図３】本発明の実施の形態による回転数制御処理手順を示すフローチャートである。
【図４】他の実施の形態による回転数制御処理手順を示すフローチャートである。
【符号の説明】
【００４９】
１０  光ディスク装置
２０  光ディスク
３０  データエリア
４０  ＢＣＡ
６０  スピンドルモータ
７０  光ピックアップヘッド
８０  信号処理回路
９０  ピット・シンク検出器
１００  ＢＣＡ・シンク検出器
１１０  制御器
１２０  回転数制御器
ＳＷ  スイッチ
【図１】
0004542979.tif 000002
【図２】
0004542979.tif 000003
【図３】
0004542979.tif 000004
【図４】
0004542979.tif 000005